(57)【特許請求の範囲】
【請求項１】
表台紙に形成した開口部に裏面側からフランジ部を有するブリスター容器を装填すると共に表台紙と裏台紙とをフランジ部の外側で連結一体化させた包装容器において、ブリスター容器挿脱口形成用の開封部を開口部の上縁に連続させて設け、裏台紙の裏面に付加台紙を添装させると共に開封部に対応する位置で裏台紙と接着させた包装容器。
【請求項２】
開封部がミシン目又はジッパーである請求項１に記載の包装容器。
【請求項３】
開封部より上部の表台紙がその全部又は一部の除去を可能とした請求項１又は２に記載の包装容器。
【発明の詳細な説明】
【０００１】
【技術分野】
本発明は、表台紙に形成した開口部に裏面側からフランジ部を有するブリスター容器を装填すると共に表台紙と裏台紙とをフランジ部の外側で連結一体化させた包装容器に関するもので、被包装物を再収納する場合に使用される。
【０００２】
【従来技術とその問題点】
この種の包装容器としては、特開平９−１１８３６３号公報に開示のものが公知となっている。
この容器は、台紙の中央部に縦方向の折り目を形成して本体台紙と蓋体台紙とを左右での見開きを可能となし、本体台紙に開口部を設けると共に裏面側から透明容器（ブリスター容器）を装入してそのフランジ部を台紙と接着させ、品物を容器内に収納した状態で左右の見開き台紙を閉じて両端側を袋とじ状に接着結合させると共に蓋体台紙側に開放機構を設け、開放された蓋体台紙を係合させる仮止め機構を本体台紙側に設けた構成を採用している。
この包装容器は、台紙を開封して品物を取り出した場合であっても、再びブリスター容器内に品物を収納して台紙を閉じられるため、品物の再収納が可能となり、しかも、近時のＰＬ法に対応して本体台紙の開口部以外の部分と蓋体の両面諸注意書を印刷できる利点を有している。
【０００３】
しかしながら、この容器では、本体台紙の開口部に装入されたブリスター容器がフランジ部で台紙と接着させられているため、接着工程が余分に必要となるばかりか、品物を使用後この台紙を廃棄する場合には、ブリスター容器のフランジに紙が付着してしまうため、容器のみを分離してリサイクル資源に活用できない問題がある。
本体台紙の両面に印刷された注意書は、本体台紙と蓋体台紙とが袋とじ状に結合させられているため、陳列中は見開き部分が隠蔽されてしまうことになる。そうすると、品物を購入する前に品物の注意書を確認できなくなって印刷効果が期待できず、所望したものとは別の商品を選択してしまうおそれがある。
また、一旦袋閉じを開いてしまうと、注意書は見開き状態で読まざるを得ないため容器部分は開放状態となってしまい、収納されている品物が落下してしまうおそれもある。
【０００４】
【技術的課題】
本発明は、表台紙に形成した開口部に裏面側からフランジ部を有するブリスター容器を装填すると共に表台紙と裏台紙とをフランジ部の外側で連結一体化させた包装容器において、ブリスター容器を台紙から独立させると共に台紙の全ての印刷面が隠蔽されないようにすることを課題としたものである。
【０００５】
【技術的手段】
この技術的課題を解決するための技術的手段は、（イ）ブリスター容器挿脱口形成用の開封部を開口部の上縁に連続させて設け、（ロ）裏台紙の裏面に付加台紙を添装させると共に開封部に対応する位置で裏台紙と接着させたこと、である。
【０００４】
表台紙と裏台紙とはブリスター容器のフランジ部の外側で連結一体化させられているため、表台紙の開口部の上縁に連続させて設けられている開封部を開封させると、フランジが装入されている空間が開口され、台紙とは独立してブリスター容器のの挿脱が可能となる。容器を開封部から引き出すと、容器内に収納されている品物を取り出すことができる。
品物を使用した後再びこれを容器にこれを収納して台紙間に装入させることによって、使用前の包装状態にしておくことができ、品物を使い切るまで品物とその注意書とを一体にしたまま保管することができる。
表台紙の開封部は裏台紙だけで全体が支えられる状態となって、強度的に弱くなっているが、裏台紙の裏面に添装させた付加台紙は開封部に対応する位置で裏台紙と接着させられているため、接着部によって開封部が裏面側から補強され、台紙全体の強度を維持することができる。
また、接着部より下部は自由端となるため、裏台紙の裏面及び付加台紙の両面が隠蔽されることはない。
【０００５】
表台紙の開封部は、ミシン目やジッパーを好適に採用することができる。開封部より上部側の表台紙は、その全部又は一部を除去できるようにしておけば、ブリスター容器の挿脱作業を容易に行うことができる。容器のフランジの上部側の長さを短く構成した場合には、上部側の台紙を除去しなくても開封部で裏台紙を折り曲げることによって、その挿脱が可能となる。
なお、開封部は、表台紙の開口部の上縁と連続している限りその上縁の延長線上になくてもよく、斜め方向に向けたり、さらには屈曲させて形成したものであっても良い。
付加台紙は開封部に対応する位置で裏台紙と接着させられているが、開封して弱くなっている部分を補強できる限り正確に開封部に対応させる必要はない。開封部の裏側を一定の幅で接着させるようにしても良いし、開封部の裏側でその上下の位置を接着させて開封部の裏側が二重になるように補強することもできる。また、開封部に対応した位置より若干低い位置から上部側全体を接着させるようにしても良いのは勿論である。
【０００６】
【発明の効果】
ブリスター容器を台紙から独立しているため、品物の再収納がワンタッチで行える利点があり、しかも台紙全体が補強された状態で使用できるため、容器の挿脱を繰り返して行うことができる。
また、裏台紙の裏面並びに付加台紙の両面が隠蔽されないために、これらの面に印刷される内容を陳列段階で読み取ることが可能となり、購入者は商品に対する注意書を熟読して理解と納得をして商品を購入できる利点がある。
なお、品物を再収納している場合であっても、注意書は常時容器に収納したまであるため、これを落下させたりするおそれもない。
さらに、このブリスター型の包装容器は上下に引っ掛け用の穴や凹部を設けたり、吊下げ具を取りつけて陳列されるのが通例であるが、本発明に係る包装容器では、上部において接着させた付加台紙によって下部を二股状に開くことができるため、そのまま台や机上に置いて安定させることができ、新しい陳列方法を提供できる利点もある。
【０００７】
【実施の形態】
図１は本発明に係る包装容器１の斜視図を示したものである。この実施形態では表台紙２と裏台紙１２とを一枚の薄肉ボール紙で連続して形成してあり、その中間部３で折り返して重合させるように構成している。
表台紙２の開口部３に装入するブリスター容器２１は、全体の長さを台紙２、１２と略同じ長さにすると共に幅を短く構成してあって、両サイドのフランジ２２、２２の外側で表裏の台紙２、１２を接着１３、１３させている。
【０００８】
開口部４の上縁５の両側には、上縁５と同一延長線上に開封部としてのミシン目７、７が形成してあり（図３▲１▼参照）、その線７より上部の表台紙２は裏台紙１２に接着させていないため、このミシン目７を開封することによって表台紙２の上部６を除去することができ（▲２▼参照）、ブリスター容器２１の上部フランジ２３及びサイドフランジ２２の上部を露出させ、これを引き出すことによって容器自体を台紙２、１２から取り出すことができる（▲３▼参照）。
【０００９】
付加台紙１６は表裏の台紙２、１２と同一の大きさに構成してあって、その上部１７を前記ミシン目７より若干低い位置から上縁まで全体を裏台紙１２の裏面に接着１８させている。したがって、表台紙の上部６を除去しても、裏台紙１２の上部は付加台紙１６によって補強されることになる。
なお、符号１４はこの容器を陳列バーに挿入して陳列するための穴で、表裏の台紙２、１２、フランジ２３及び付加台紙１６を貫通している。
【００１０】
容器２１の上部側のフランジ２３は、図示のように台紙の上端迄の長さにしておくと吊下げ時において補強効果を発揮できるが、品物が重量物でない場合には品物が露出しない程度に短く設計しておけば良い。
上記の実施形態では、表台紙２の上部はその全体を除去するようにしているが、除去幅は少なくとも容器２１の左右のフランジ２２幅の大きさがあれば良く、この場合には表台紙２と裏台紙１２の両側を両台紙２、１２の上縁まで接着させることができる。
【００１１】
上記の実施形態では、表台紙２と裏台紙１２とを一枚の台紙で構成して二つ折するようにしているが、図４に示したように、表台紙２、裏台紙１２並びに付加台紙１６をそれぞれ別体に形成し、開口部４にブリスター容器を挿入した後、表裏の台紙２、１２を両側縁及び下縁で接着させ（斜線部分参照）、裏台紙１２と付加台紙１６とを上部で接着させても良い。
また、表台紙２と裏台紙１２とを左右に配置して中央で縦方向に設けた谷折線８で二つ折して外側の側縁と下縁で接着させ、上記と同様に付加台紙を接着させても良い。
また、表台紙２、裏台紙１２及び付加台紙１６を縦方向に連接しておき、、表台紙２と裏台紙１２とを図１に示したように二つ折して両側縁部を接着し、更に裏台紙１２に対して付加台紙１６を山折させてその上部１７裏面を接着させるようにしても良い。この場合は台紙全体同時に印刷できる利点がある。
【図面の簡単な説明】
【図１】本発明に係る包装容器の斜視図
【図２】図１のＡ−Ａ’箇所の断面図
【図３】ブリスター容器を取り出す手順を示す説明図
【図４】台紙の構成例を示す分解図
【符号の説明】
１包装容器、  ２表台紙、  ４表台紙開口部、  ７ミシン目、  １２裏台紙、
１３台紙側縁接着部、  １６付加台紙、
【図１】
0004141544.tif 000002
【図２】
0004141544.tif 000003
【図３】
0004141544.tif 000004
【図４】
0004141544.tif 000005